【手続補正書】
【提出日】平成25年6月17日(2013.6.17)
【手続補正１】
【補正対象書類名】特許請求の範囲
【補正対象項目名】全文
【補正方法】変更
【補正の内容】
【特許請求の範囲】
【請求項１】
所定の面内に配設される光源を設けた光源部と、
前記光源からの光が一端面から入射され、該一端面から入射された前記光を前記一端面に対向する他端面、一主面及び他主面から出射する板状の導光板を前記光源部の前記所定の面内から起立させて設けた発光部と、
前記光源部及び前記発光部を保持する筐体を設けた筐体部とを有し、
前記発光部は、所定の情報の外郭を縁取りした形状に複数の前記導光板を接合して形成されていること
を特徴とするチャンネル文字装置。
【請求項２】
前記導光板の前記他端面、前記一主面及び前記他主面のいずれかの面には、前記光源部の前記光源から照射された光を拡散光として導出させる凹部又は凸部が形成されていること
を特徴とする請求項１に記載のチャンネル文字装置。
【請求項３】
前記凹部又は前記凸部は、点状、線状、又はそれらを組み合わせた形状から成ること
を特徴とする請求項２に記載のチャンネル文字装置。
【請求項４】
前記導光板の前記他端面は、鏡面状又は粗面状に形成されていること
を特徴とする請求項１に記載のチャンネル文字装置。
【請求項５】
前記導光板の前記他端面は、前記一端面に対し傾斜して形成されていること
を特徴とする請求項１に記載のチャンネル文字装置。
【請求項６】
前記導光板の前記他端面に積層され、前記他端面から出射された光を拡散させる拡散部材を設けた拡散部を更に有していること
を特徴とする請求項１に記載のチャンネル文字装置。
【請求項７】
前記拡散部の前記拡散部材は、前記発光部の前記導光板の前記他端面の輪郭に沿って積層されていること
を特徴とする請求項６に記載のチャンネル文字装置。
【請求項８】
前記所定の情報は、文字、図形、記号、又はこれらの組み合わせから成ること
を特徴とする請求項１に記載のチャンネル文字装置。
【手続補正２】
【補正対象書類名】明細書
【補正対象項目名】発明の名称
【補正方法】変更
【補正の内容】
【発明の名称】チャンネル文字装置
【手続補正３】
【補正対象書類名】明細書
【補正対象項目名】０００１
【補正方法】変更
【補正の内容】
【０００１】
本発明は、所定の情報を報知するチャンネル文字装置に関する。
【手続補正４】
【補正対象書類名】明細書
【補正対象項目名】０００６
【補正方法】変更
【補正の内容】
【０００６】
そこで、本発明は前述の技術的な課題に鑑み、光源の光を有効に用いて高輝度で均等に所定の情報を報知することができるチャンネル文字装置の提供を目的とする。
【手続補正５】
【補正対象書類名】明細書
【補正対象項目名】０００７
【補正方法】変更
【補正の内容】
【０００７】
前述の課題を解決すべく、本発明に係るチャンネル文字装置は、所定の面内に配設される光源を設けた光源部と、前記光源からの光が一端面から入射され、該一端面から入射された前記光を前記一端面に対向する他端面、一主面及び他主面から出射する板状の導光板を前記光源部の前記所定の面内から起立させて設けた発光部と、前記光源部及び前記発光部を保持する筐体を設けた筐体部とを有し、前記発光部は、所定の情報の外郭を縁取りした形状に複数の前記導光板を接合して形成されていることを特徴とする。
【手続補正６】
【補正対象書類名】明細書
【補正対象項目名】０００８
【補正方法】変更
【補正の内容】
【０００８】
本発明に係るチャンネル文字装置によれば、光源の光を有効に用いて高輝度で均等に所定の情報を報知することができる。
【手続補正７】
【補正対象書類名】明細書
【補正対象項目名】００６６
【補正方法】変更
【補正の内容】
【００６６】
請求項１に記載のチャンネル文字装置１及び２等は、所定の面内に配設される光源を設けた光源部１０と、光源からの光が一端面から入射され、該一端面から入射された前記光を前記一端面に対向する他端面、一主面及び他主面から出射する板状の導光板を前記光源部の前記所定の面内から起立させて設けた発光部２０と、光源部及び発光部を保持する筐体を設けた筐体部３０とを有し、発光部は、所定の情報の外郭を縁取りした形状に複数の前記導光板を接合して形成されていることを特徴としている。
【手続補正８】
【補正対象書類名】明細書
【補正対象項目名】００６７
【補正方法】変更
【補正の内容】
【００６７】
この様な請求項１に記載のチャンネル文字装置１及び２等によれば、所定の情報を光源の光を有効に用いて高輝度で均等に報知することができる。具体的には、請求項１に記載のチャンネル文字装置１及び２等によれば、発光部２０の導光板の一端面から入射された光源部１０の光源の光を、所定の情報が複数の導光板を接合して形成された他端面から導出させることにより、該情報を強調した状態で高輝度且つ均等に報知することができる。
【手続補正９】
【補正対象書類名】明細書
【補正対象項目名】００６８
【補正方法】削除
【補正の内容】
【手続補正１０】
【補正対象書類名】明細書
【補正対象項目名】００６９
【補正方法】削除
【補正の内容】
【手続補正１１】
【補正対象書類名】明細書
【補正対象項目名】００７０
【補正方法】変更
【補正の内容】
【００７０】
請求項４に記載の表示装置１及び２等は、請求項１に従属し、発光部２０の導光板の他端面が、鏡面状又は粗面状に形成されていることを特徴としている。
【手続補正１２】
【補正対象書類名】明細書
【補正対象項目名】００７１
【補正方法】変更
【補正の内容】
【００７１】
この様な請求項４に記載の表示装置１及び２等によれば、発光部２０の導光板の一端面から入射された光源部１０の光源の光を、一端面に対向して形成された他端面において、該他主面の面粗さに応じた所定の強度で拡散させることができる。ここで、発光部２０の導光板の他端面が、粗面状に形成されている場合には、光源部１０の光源１１の光を直接視認することがないので、目に眩しく認識されることがない。さらに、発光部２０の導光板の他端面が、粗面状に形成されている場合には、筐体部３０に設けられたビス等を用いて発光部２０の導光板の一主面から他主面にかけて貫通し固定した状態であっても、ビス等に起因した光の陰影を粗面状に形成された導光板の他端面で拡散させることにより、視認され難くすることができる。なお、発光部２０の導光板の他端面を、切削工具で削る方法、荒いヤスリ等で研磨する方法、又はサンドブラストによる方法等により、粗面状に形成する。また、発光部２０の導光板の鏡面状に仕上げられた他端面に、拡散機能を有し透過性のあるテープやシールを貼り付けることにより、粗面状に形成しても良い。
【手続補正１３】
【補正対象書類名】明細書
【補正対象項目名】００７２
【補正方法】変更
【補正の内容】
【００７２】
請求項２に記載の表示装置１及び２等は、請求項１に従属し、発光部２０の導光板の一端面と隣接した一主面、該一主面に対向した他主面、又は一主面及び他主面に、光源部１０の光源から照射された光を拡散光として導出させる凹部又は凸部が形成されていることを特徴としている。
【手続補正１４】
【補正対象書類名】明細書
【補正対象項目名】００７３
【補正方法】変更
【補正の内容】
【００７３】
この様な請求項２に記載の表示装置１及び２等によれば、発光部２０の導光板の一端面から入射された光源部１０の光源の光を、一端面に対向して形成された他端面に加えて、一端面と隣接した一主面、該一主面に対向した他主面、又は一主面及び他主面において、様々な光強度分布を有する拡散光に変換に変換して出射することができる。また、表示装置１及び２等の端面となる一主面及び他主面においても、一主面及び他主面に形成された凹部又は凸部により光が反射されることから、表示装置１及び２等の端面や正面を含め全体が立体的に発光している状態で視認される。
【手続補正１５】
【補正対象書類名】明細書
【補正対象項目名】００７６
【補正方法】削除
【補正の内容】
【手続補正１６】
【補正対象書類名】明細書
【補正対象項目名】００７７
【補正方法】削除
【補正の内容】
【手続補正１７】
【補正対象書類名】明細書
【補正対象項目名】００７８
【補正方法】変更
【補正の内容】
【００７８】
請求項３に記載の表示装置１及び２等は、請求項１に従属し、凹部又は凸部は、点状、線状、又はそれらを組み合わせた形状から成ることを特徴としている。
【手続補正１８】
【補正対象書類名】明細書
【補正対象項目名】００７９
【補正方法】変更
【補正の内容】
【００７９】
この様な請求項３に記載の表示装置１及び２等によれば、発光部２０の導光板の一端面から入射された光源部１０の光源の光を、一端面に対向して形成された他端面に加えて、一端面と隣接した一主面、該一主面に対向した他主面、又は一主面及び他主面において、様々な光強度分布を有する拡散光に変換して出射することができる。
【手続補正１９】
【補正対象書類名】明細書
【補正対象項目名】００８０
【補正方法】変更
【補正の内容】
【００８０】
請求項６に記載の表示装置２は、請求項１に従属し、発光部の導光板の他端面に積層され、他端面から出射された光を拡散させる拡散部材を設けた拡散部４０を更に有していることを特徴としている。
【手続補正２０】
【補正対象書類名】明細書
【補正対象項目名】００８１
【補正方法】変更
【補正の内容】
【００８１】
この様な請求項６に記載の表示装置２によれば、発光部２０の導光板の他端面から出射された光が、拡散部４０に設けられた拡散部材で拡散することから、所定の情報を光源の光を有効に用いて高輝度で非常に均等に報知することができる。
【手続補正２１】
【補正対象書類名】明細書
【補正対象項目名】００８２
【補正方法】変更
【補正の内容】
【００８２】
請求項７に記載の表示装置２は、請求項８に従属し、拡散部４０の拡散部材は、発光部２０の導光板の他端面の輪郭に沿って積層されていることを特徴としている。
【手続補正２２】
【補正対象書類名】明細書
【補正対象項目名】００８３
【補正方法】変更
【補正の内容】
【００８３】
この様な請求項７に記載の表示装置２によれば、発光部２０の導光板の他端面から出射され、拡散部４０に設けられた拡散部材で拡散した光が、所定の情報の輪郭に沿って、高輝度で均等に該情報を強調した状態で報知することができる。
【手続補正２３】
【補正対象書類名】明細書
【補正対象項目名】００８４
【補正方法】削除
【補正の内容】
【手続補正２４】
【補正対象書類名】明細書
【補正対象項目名】００８５
【補正方法】削除
【補正の内容】
【手続補正２５】
【補正対象書類名】明細書
【補正対象項目名】００８６
【補正方法】削除
【補正の内容】
【手続補正２６】
【補正対象書類名】明細書
【補正対象項目名】００８７
【補正方法】削除
【補正の内容】
【手続補正２７】
【補正対象書類名】明細書
【補正対象項目名】００８８
【補正方法】削除
【補正の内容】
【手続補正２８】
【補正対象書類名】明細書
【補正対象項目名】００８９
【補正方法】削除
【補正の内容】
【手続補正２９】
【補正対象書類名】明細書
【補正対象項目名】００９０
【補正方法】削除
【補正の内容】
【手続補正３０】
【補正対象書類名】明細書
【補正対象項目名】００９１
【補正方法】削除
【補正の内容】
【手続補正３１】
【補正対象書類名】明細書
【補正対象項目名】００９２
【補正方法】削除
【補正の内容】
【手続補正３２】
【補正対象書類名】明細書
【補正対象項目名】００９３
【補正方法】削除
【補正の内容】
【手続補正３３】
【補正対象書類名】明細書
【補正対象項目名】００９４
【補正方法】削除
【補正の内容】
【手続補正３４】
【補正対象書類名】明細書
【補正対象項目名】００９５
【補正方法】削除
【補正の内容】
【手続補正３５】
【補正対象書類名】明細書
【補正対象項目名】００９６
【補正方法】削除
【補正の内容】
【手続補正３６】
【補正対象書類名】明細書
【補正対象項目名】００９７
【補正方法】削除
【補正の内容】
【手続補正３７】
【補正対象書類名】明細書
【補正対象項目名】００９８
【補正方法】削除
【補正の内容】
【手続補正３８】
【補正対象書類名】明細書
【補正対象項目名】００９９
【補正方法】変更
【補正の内容】
【００９９】
請求項８に記載のチャンネル文字装置は、請求項１に従属し、前記所定の情報は、文字、図形、記号、又はこれらの組み合わせから成ること特徴としている。
【手続補正３９】
【補正対象書類名】明細書
【補正対象項目名】０１００
【補正方法】変更
【補正の内容】
【０１００】
この様な請求項８に記載のチャンネル文字装置によれば、光源の光を有効に用いて高輝度で均等にチャンネル文字から成る情報を報知することができる。